(57)【要約】【課題】ティッシュボックスの収納及び取り出しが容易であり、かつ収納されているティッシュボックスが意図せず露出することがないようにする。【解決手段】天板１０に開口部１１を有する箱形のティッシュボックスケース１であって、底板１３を開くと、ティッシュボックス５０の取り出し口５１を開口部１１側に向けてティッシュボックス５０を収納可能であり、底板１３を閉じると、底板１３と側板１２Ｂが磁力によって接着し、収納空間４０を閉塞するように形成した。【選択図】図２
2011168310.tif 000002
【特許請求の範囲】
【請求項１】
ティッシュボックスを収納可能な箱形のティッシュボックスケースであって、
内部に収納したティッシュボックスの取り出し口を介してティッシュを取り出すための開口部を設けた天板と、
天板の周囲に設けられた側板と、
前記天板の対向側に位置し、いずれかの側板に回動自在に固定され、前記天板及び側板により囲われた収納空間を開閉自在な底板とを備え、
前記底板を固定した側板を除く側板のうち少なくともいずれか一つの側板に、磁性体若しくは金属体からなる側板吸着体を設け、
前記底板の収納空間側の板面において、前記底板によって前記収納空間を閉じたとき前記側板に設けた側板吸着体と磁力吸着可能な位置に、前記側板吸着体と磁力吸着可能な底板吸着体を設け、
前記底板を開くと、ティッシュボックスの取り出し口を前記開口部側に向けてティッシュボックスを収納可能であり、前記底板を閉じると、前記底板と前記側板が磁力によって接着し、前記収納空間を閉塞するように形成されていることを特徴とするティッシュボックスケース。
【発明の詳細な説明】
【技術分野】
【０００１】
本発明は、ティッシュボックスを収納するケースに関する。
【背景技術】
【０００２】
従来、箱形のティッシュボックスケースとしては、特許文献１に示すようにティッシュボックスをケースの底部から入れるタイプや、特許文献２に示すようにティッシュボックスを側方からスライドさせて入れるタイプや、特許文献３に示すようにティッシュボックスの上からケースを被せるタイプがある。
一方、特許文献４には、ティッシュペーパーを収納する容器として、容器と蓋体の嵌合部に磁石を装着したものが開示されている。
【先行技術文献】
【特許文献】
【０００３】
【特許文献１】特開平１０−２６２８６１号公報
【特許文献２】特開２００２−３０２１７１号公報
【特許文献３】特開２００７−２８９５９７号公報
【特許文献４】実開平０３−５１０９５号公報
【発明の概要】
【発明が解決しようとする課題】
【０００４】
しかし、特許文献１に示すティッシュボックスケースは、ケースの底部と側面部とをホックなどで固定しなければならないので収納に手間が掛かり、特許文献４に記載のケースの場合、嵌合部に磁石を設けてあるので、磁力が嵌め合わせ操作の邪魔になることが考えられる。
そこで本願発明は、箱形のティッシュボックスケースにおいて、ティッシュボックスの収納及び取り出しが容易であり、かつ収納されているティッシュボックスが意図せず露出することがないティッシュボックスケースを提供することを目的とする。
【課題を解決するための手段】
【０００５】
上記課題を解決するため、請求項に記載の発明は以下のような構成を有する。
なお、括弧内の符号は、発明の実施の形態において用いた符号を示し、本発明の技術的範囲を限定するものではない。
請求項１記載の発明は、ティッシュボックス(50)を収納可能な箱形のティッシュボックスケース(1)に係る。このティッシュボックスケース(1)は、内部に収納したティッシュボックス(50)の取り出し口(51)を介してティッシュを取り出すための開口部(11)を設けた天板(10)と、天板(10)の周囲に設けられた側板(12)と、前記天板(10)の対向側に位置し、いずれかの側板(12A)に回動自在に固定され、前記天板(10)及び側板(12)により囲われた収納空間(40)を開閉自在な底板(13)とを備えている。
【０００６】
また、前記底板(13)を固定した側板(12A)を除く側板のうち少なくともいずれか一つの側板(12B)に、磁性体若しくは金属体からなる側板吸着体(20)を設け、前記底板(13)の収納空間(40)側の板面において、前記底板(13)によって前記収納空間(40)を閉じたとき前記側板(12B)に設けられた側板吸着体(20)と磁力吸着可能な位置に、前記側板吸着体(20)と磁力吸着可能な底板吸着体(21)を設けてある。
そして、このティッシュボックスケース(1)は、前記底板(13)を開くと、ティッシュボックス(50)の取り出し口(51)を前記開口部(11)側に向けてティッシュボックス(50)を収納可能であり、前記底板(13)を閉じると、前記底板(13)と前記側板(12B)が磁力によって接着し、前記収納空間(40)を閉塞するように形成されていることを特徴とする。
【０００７】
本発明においては、使用時に下側となる底板(13)を開閉してティッシュボックス(50)を収納、取り出しするようになっているので、ティッシュボックス(50)の取り出し口(51)からティッシュを引き出したままでもティッシュボックス(50)の収納が容易であり、底板(13)は側板(12)に磁力によって接着しているので、ティッシュの引き出し時に底板(13)が開くこともなく、ティッシュボックス(50)を収納したまま持ち上げても底板(13)が開いて内部のティッシュボックス(50)が落下することがない。一方、磁力の吸着力に抗して底板(13)を回動させるだけで底板(13)が開き、収納空間(40)を開放することができる。
【発明の効果】
【０００８】
本発明は、以上のように構成されているので、ティッシュボックスの収納及び取り出しが容易であり、かつ収納されているティッシュボックスが意図せず露出することがない箱形のティッシュボックスケースを提供することができる。
【図面の簡単な説明】
【０００９】
【図１】本発明の実施の形態であって、ティッシュボックスケースの斜視図である。
【図２】ティッシュボックスケースの底板を開いた斜視図である。
【図３】底板と側板の部分拡大断面図である。
【発明を実施するための形態】
【００１０】
本発明の好適な実施の形態を、図面に基づき説明する。
ティッシュボックスケース１は、図１に示すように、直方体状の箱であって、横長の開口部11を形成した天板10と、天板10の周囲に設けられた４つの側板12と、天板10の対向側に設けられる底板13とから構成されている。そして、図２に示すように、天板10と４つの側板12により囲まれた収納空間40に、ティッシュボックス50を収納することができるようになっている。
天板10、側板12、底板13には、それぞれ、芯材30（図３参照）に表装材31と内張材32（図２参照）を貼付してある。芯材30には、合板や圧縮材、プラスチックやボール紙などを用いることができる。表装材31及び内張材32には、合皮や布材などを用いることができる。
【００１１】
また、底板13は、図２に示すように、表装材31と内張材32の貼り合わせ部である繋ぎ部15によって、長い方の側板12のうちの一方の側板12Aと一体化され、繋ぎ部15を折り畳むことにより側板12Aに対して回動自在となっている。そして、底板13を回動させることにより、収納空間40を開閉することができるようになっている。なお、底板13をヒンジによって側板12に回動自在に取り付けてもよい。また、底板13を固定するのは短い方の側板12であってもよい。
さらに、このティッシュボックスケース１は、前記底板13を閉じたとき、側板12に設けられた側板吸着体20と底板13に設けられた底板吸着体21とが磁力吸着することにより、底板13で収納空間40をぴったりと閉塞することができるようになっている。具体的には、図２及び図３に示すように、底板13が固定されている側板12Aの対向側の側板12Bには、板状の磁性体又は金属片からなる側板吸着体20が設けられ、底板13の内側面（底板13を閉じたときに収納空間40側となる面）の、繋ぎ部15と対向側の端部には、側板吸着体20と磁力吸着可能な底板吸着体21が設けられている。すなわち、側板吸着体20が磁性体である場合には底板吸着体21は磁性体又は金属片であり、側板吸着体20が金属片である場合には底板吸着体21は磁性体である。
【００１２】
側板吸着体20は、図２及び図３に示すように、側板12Bを構成する芯材30の小口面に、側板の長さ方向に間隔をあけて二つ配置され、側板吸着体20は表装材31で覆ってある。つまり、側板吸着体20は、側板12Bの底板13との当接部分に埋設されている。一方、底板吸着体21は、図３に示すように、底板13を構成する芯材30の内側端部であって、底板13を閉じたときにそれぞれの側板吸着体20と対向する位置に埋設されており、これも表装材31又は内張材32で覆ってある。
なお、側板吸着体20は、棒状又は球状の磁性体又は金属体を芯材30の内部に埋め込んだものであってもよく、底板吸着体21は、板状の磁性体又は金属体を芯材30の表面に貼り付けたものであってもよい。また、吸着体（側板吸着体20及び底板吸着体21）の形状や吸着体を設置する位置及び個数は、図示したものに限られず、例えば、側板吸着体20は側板12Bの両端部や側板12Bと直交する短片側板12に設けてもよく、側板12Bの長さ方向の中心部に側板吸着体20を一つ設けてもよい。そして、底板13において側板吸着体20に対応する位置に、底板吸着体21を設ければよい。要は、側板吸着体20と底板吸着体21が、底板13を閉じたときに互いに磁力吸着可能な位置に配置されていればよい。さらに、吸着体（側板吸着体20及び底板吸着体21）を表装材31の表面に貼り付けてもよいが、表装材31の内側に設けた方が、外観上見栄えがよいとともに、ティッシュボックス50を出し入れする際に箱や人の手や衣服に吸着体が引っかかったり、吸着体が剥がれ落ちたりすることがないので好適である。
【００１３】
さて、上記したように形成されたティッシュボックスケース１に、ティッシュボックス50を収納する場合には、図２に示すように、天板10を下側にして底板13を開放した状態で、取り出し口51を下に向けたティッシュボックス50を収納空間40に収納する。この場合、取り出し口51からティッシュを引き出してあっても、引き出してあるティッシュを天板10の開口部11に差し込むようにしてティッシュボックス50を収納すれば、後から開口部11に指を入れてティッシュを引き出す必要がない。
そして、底板13を閉めると、底板13と側板12が吸着し、収納空間40はぴたりと閉塞される。天板10を上にしてティッシュボックスケース１を持ち上げても、底板13は側板12に吸着しているので、底板13が開いて中のティッシュボックス50が落下することはない。つまり、吸着体には、底板13とティッシュボックス50の重量を十分に支持できるような磁力を有する磁性体を用いるのが好ましい。ティッシュボックス50を取り出す場合には、底板13の端部に設けられたつまみ14（図１参照）を手がかりにして、底板13を開くことができる。
【００１４】
ここで、ティッシュボックス50はメーカーや商品の種類によって高さが異なる場合があるが、収納空間40の高さ（深さ）よりもティッシュボックス50の高さが低い場合には、ティッシュボックス50を収納すると、ティッシュボックス50の底面から側板12の端部までに隙間ができる。このような場合には、隙間の寸法に応じた詰め物をすれば、ティッシュボックスケース１の天板10を上側にして配置したときに、天板10の裏面とティッシュボックス50の上面との間に隙間が生じることがなく、開口部11から取り出し口51のティッシュを取り出しにくくなることはない。
以上のように、本実施の形態によれば、使用時に下側となる底板13を開いて箱形の収納空間40にティッシュボックス50を収納するようにしたことから、容器と蓋を嵌めあわせたりホックで止めたりする手間がなく、ティッシュボックス50の全体を覆うことができる。また、取り出し口51からティッシュを引き出した状態でもティッシュボックス50を収納しやすいとともに、ティッシュボックス50を収納した時点で収納空間40の深さとティッシュボックス50の高さの差異が一目瞭然となり、高さ調整を容易に行うことができる。
【００１５】
さらに、底板13と側板12が磁力吸着によって接着するようにしたことから、開口部11からティッシュを取り出すときに、重なって出てきたティッシュによってティッシュボックスケース１の上箱部分（天板10と側板12）が持ち上がっても底板13が開くことがなく、ティッシュボックスケース１を持ち上げた場合でも底板13が開くことがない。そして、このように、意図せず底板13が開いて中のティッシュボックス50が落下等しない一方で、底板13を開く場合には、底板13を磁力に抗して回動させるだけでよいので、ティッシュボックス50の取り出しにも手間がかからない。
なお、特に図示しないが、収納空間40の深さを市販のティッシュボックス50の最大寸法以上に形成しておき、底板13に圧縮コイルバネを固定し（又は着脱自在に取り付け）てもよい。このように形成すれば、底板13を閉じたとき、コイルバネが収納空間40に収納されたティッシュボックス50の底面を押し上げるので、ティッシュボックス50の高さ寸法にかかわらず、ティッシュボックスケース１が天板10を上側にして配置されたときに、開口部11と取り出し口51との間に隙間を生じさせないようにすることができる。
【符号の説明】
【００１６】
１  ティッシュボックスケース
10  天板                          11  開口部
12  側板                          13  底板
14  つまみ                        15  繋ぎ部
20  側板吸着体                    21  底板吸着体
30  芯材                          31  表装材
32  内張材                        40  収納空間
50  ティッシュボックス            51  取り出し口
【図１】
2011168310.tif 000003
【図２】
2011168310.tif 000004
【図３】
2011168310.tif 000005